(57)【特許請求の範囲】
【請求項１】
ディジタルデータを伝送し装置間を接続する伝送路と、放送されてくる第１の符号化画像信号を受信する符号化画像信号受信装置と、放送とは別の画像信号を符号化し、放送とは別であることが示される識別信号を付加して生成された第２の符号化画像信号を前記伝送路へ伝送する画像信号符号化装置と、前記第１の符号化画像信号及び前記第２の符号化画像信号を入力し復号化して出力する画像信号復号化装置と、非定常状態を検出しアラーム信号を発生し前記伝送路へアラーム信号を伝送するアラーム信号発生装置と、前記伝送路を伝送される前記アラーム信号により前記第１又は第２の符号化画像信号が出力されるように前記画像信号復号化装置を制御する制御信号を前記伝送路に出力する制御装置と、を備える画像信号復号化システムにおける前記画像信号復号化装置であって、
前記符号化画像信号受信装置装置で受信された第１の符号化画像信号及び前記伝送路を伝送される第２の符号化画像信号が入力され、前記制御装置が出力する前記制御信号に基づき、第１または第２の符号化画像信号を選択する符号化画像信号切替手段と、
該符号化画像信号切替手段で選択された符号化画像信号を復号化して出力する復号化手段と、
を備えることを特徴とする画像信号復号化装置。
【請求項２】
ディジタルデータを伝送し装置間を接続する伝送路と、放送されてくる第１の符号化画像信号を受信する符号化画像信号受信装置と、放送とは別の画像信号を符号化し、放送とは別であることが示される識別信号を付加して生成された第２の符号化画像信号を前記伝送路へ伝送する画像信号符号化装置と、前記第１の符号化画像信号及び前記第２の符号化画像信号を入力し復号化して出力する画像信号復号化装置と、ユーザ操作により前記第１又は第２の符号化画像信号の切替を要求する切替要求信号を前記伝送路に伝送する切替要求発生装置と、前記伝送路を伝送される前記切替要求信号により前記第１又は第２の符号化画像信号が出力されるように前記画像信号復号化装置を制御する制御信号を前記伝送路に出力する制御装置と、を備える画像信号復号化システムにおける前記画像信号復号化装置であって、
前記符号化画像信号受信装置装置で受信された第１の符号化画像信号及び前記伝送路を伝送される第２の符号化画像信号が入力され、前記制御装置が出力する前記制御信号に基づき、第１または第２の符号化画像信号を選択する符号化画像信号切替手段と、
該符号化画像信号切替手段で選択された符号化画像信号を復号化して出力する復号化手段と、
を備えることを特徴とする画像信号復号化装置。
【発明の詳細な説明】
【０００１】
【発明の属する技術分野】
本発明は、ディジタル画像信号を可変長の高能率符号化により符号化した符号化画像データを、可変長の復号化により復号する画像信号復号装置に関する。
【０００２】
【従来の技術】
衛星放送のディジタル化を受けて、この放送を受信、表示するためのディジタルセットトップボックスが家庭内に普及し始めてきた。このディジタルセットトップボックスは、国際標準であるMPEG2を用いて符号化された画像信号を受信、復号して既存のテレビ受像器に表示する。
【０００３】
また、IEEE1394に代表されるシリアルインターフェース対応製品の普及にともない家庭内の様々な機器を接続し家庭内にネットワークを構築しようという動きがある。このシリアルインターフェースは多目的に利用することが出来、映像を転送しても良いし、ファイルの転送をしても良いし、制御信号の転送をしても良い。映像信号をこのネットワークを通じて転送する場合、そのままのデータを用いるとネットワークのトラフィックをあげてしまうばかりでなく映像信号の実時間性すら確保できなくなる可能性がある。
【０００４】
そこで、映像信号を転送する場合、国際標準であるMPEG2を用いて符号化した画像を転送することによりネットワーク上のトラフィックをあげることなく、且つ映像信号の実時間性を保つことが出来る。
【０００５】
しかしながら、この映像信号を表示するためには、国際標準であるMPEG2を用いて符号化された画像信号を復号して、且つ表示するための装置が必要となる。
【０００６】
【発明が解決しようとする課題】
本発明の目的は、家庭内のネットワークを介して転送される国際標準であるMPEG2を用いて符号化された画像信号を復号し、表示するために、新たに復号及び表示装置を必要とせずに、ディジタルセットトップボックスで実現することにある。
【０００７】
【課題を解決するための手段】
上記目的を達成するために本発明においては、復号する符号化画像信号を切り替えるように制御する制御手段と前記制御手段からの制御により復号する符号化画像を切り替える符号化画像信号切替手段を備える構成とする。
【０００８】
【発明の実施の形態】
以下本発明の実施の形態について図面を用いて説明する。
【０００９】
図１は本発明を用いた画像信号復号化装置の一実施例の概略構成図であり、画像入力部１、画像信号符号化部２、放送符号化画像入力部３、放送符号化画像信号受信部４、アラーム発生部５、制御部６、アラーム信号検出器６１、切替信号発生器６２、符号化画像信号復号化部７、符号化画像信号切替器７１、復号化器７２、伝送路８、出力部９から構成される。
【００１０】
画像入力部１から入力される画像は、画像信号符号化部２で、可変長の高能率符号化により符号化され、外部入力画像を符号化したことを示す識別信号が付加されたのち伝送路８へ出力される。放送符号化画像入力部３から入力される放送符号化画像信号は、符号化画像信号受信部４で受信され、符号化画像信号復号化部７に送られる。アラーム発生部５は非定常状態、例えば画像入力部１が監視カメラの場合、侵入者等をセンサーなどにより感知したときあるいはＴＶ電話の場合、送信者・受信者をセンサーなどにより感知したとき、アラーム信号を発生し、伝送路８へ出力する。
【００１１】
アラーム信号検出器６１がアラーム信号を伝送路８で検出しない場合、即ち定常状態のときは切替信号発生器６２は放送符号化画像信号を選択するための切替信号を伝送路８へ出力し、アラーム信号が伝送路８上で検出された場合、即ち非定常状態のときは切替信号発生器６２は外部入力画像を符号化したことを示す識別信号が付加された符号化画像を選択するための切替信号を伝送路８上へ出力する。
【００１２】
符号化画像信号切替器７１は、伝送路８上の制御信号により、放送符号化画像信号を選択するように制御された場合には放送符号化画像信号を選択し、外部入力画像を符号化したことを示す識別信号が付加された符号化画像信号を選択するように制御された場合には、外部入力画像を符号化したことを示す識別信号が付加された符号化画像信号を選択し、復号化器７２に出力する。復号化器７２は可変長の復号化により符号化画像を復号化し、出力部９に出力する。
【００１３】
上記動作における制御部６、アラーム検出器６１、切替信号発生器６２、符号化画像信号復号化部７、符号化画像信号切替器７１及び復号化器７２のフローチャートを図２に示す。
【００１４】
アラーム検出の頻度を上げることにより、アラーム信号からのより早い復号画像信号の切替を実現することが出来る。
【００１５】
図３は本発明を用いた画像信号復号化装置の一実施例の概略構成図であり、図３において図１と同様の構成要素には同符号を付してあり、７３は復号化器、７４は画面合成器である。
【００１６】
画像入力部１から入力される画像は、画像信号符号化部２で、可変長の高能率符号化により符号化され、外部入力画像を符号化したことを示す識別信号が付加されたのち伝送路８へ出力される。放送符号化画像入力部３から入力される放送符号化画像信号は、符号化画像信号受信部４で受信され、符号化画像信号復号化部７に送られる。アラーム発生部５は非定常状態、例えば画像入力部１が監視カメラの場合、侵入者等をセンサーなどにより感知したときあるいはＴＶ電話の場合、送信者・受信者をセンサーなどにより感知したとき、アラーム信号を発生し、伝送路８へ出力する。
【００１７】
アラーム信号検出器６１がアラーム信号を伝送路８で検出しない場合、即ち定常状態のときは切替信号発生器６２は放送符号化画像信号を復号した画像信号のみを出力するような切替信号を伝送路８へ出力し、アラーム信号が伝送路８上で検出された場合、即ち非定常状態のときは切替信号発生器６２は外部入力画像を符号化したことを示す識別信号が付加された符号化画像を復号した画像信号のみ或いは、放送符号化画像信号を復号した画像信号と外部入力画像を符号化したことを示す識別信号が付加された符号化画像を復号した画像信号を合成して、出力するような切替信号を伝送路８上へ出力する。
【００１８】
復号化器７２は、可変長の復号化により、外部入力画像を符号化したことを示す識別信号が付加された符号化画像を復号化し、画面合成器７４に出力する。復号化器７３は、可変長の復号化により放送符号化画像信号を復号化し、画面合成器７４に出力する。
【００１９】
画面合成器７４は伝送路８上の制御信号により、放送符号化画像信号を復号した画像信号のみを出力するように制御された場合は、可変長の復号化により放送符号化画像信号を復号した画像信号のみを出力し、外部入力画像を符号化したことを示す識別信号が付加された符号化画像を復号した画像信号のみを出力するように制御された場合には、可変長の復号化により外部入力画像を符号化したことを示す識別信号が付加された符号化画像を復号した画像信号のみを出力し、放送符号化画像信号を復号した画像信号と外部入力画像を符号化したことを示す識別信号が付加された符号化画像を復号した画像信号を合成して出力するように制御された場合には、可変長の復号化により放送符号化画像信号を復号した画像信号と、外部入力画像を符号化したことを示す識別信号が付加された符号化画像を復号した画像信号を合成して出力部９に出力する。
【００２０】
上記実施の形態において、復号化器及び復号化部に入力される符号化画像信号が２つの場合について説明したが、符号化画像が複数存在しそれら符号化画像を切り替えて復号し合成画像を形成しても良いし、符号化画像分復号器を用意し並列に全て復号し合成画像を形成しても良い。
【００２１】
上記動作における制御部６、アラーム検出器６１、切替信号発生器６２、符号化画像信号復号化部７、及び画面合成器７４のフローチャートを図４に示す。
【００２２】
アラーム検出の頻度を上げることにより、アラーム信号からのより早い復号画像信号出力の切替を実現することが出来る。
【００２３】
図５は本発明を用いた画像信号復号化装置の一実施例の概略構成図であり、図５において図１と同様の構成要素には同符号を付してあり、６３は復号化器、６４は画面加工器、６５は符号化器である。
【００２４】
画像入力部１から入力される画像は、画像信号符号化部２で、可変長の高能率符号化により符号化され、外部入力画像を符号化したことを示す識別信号が付加されたのち伝送路８へ出力される。放送符号化画像入力部３から入力される放送符号化画像信号は、符号化画像信号受信部４で受信され、符号化画像信号復号化部７に送られる。復号化器６３は外部入力画像を符号化したことを示す識別信号が付加された符号化画像を可変長の復号化により復号し、画面加工器６４に送る。
【００２５】
画面加工器６４はこの復号した画像信号を例えばタイトルを加えるなどのようにして加工し符号化器６５に送る。符号化器６５はこの加工された画像信号を可変長の高能率符号化により符号化し、加工した画像信号を符号化したことを示す識別信号を付加して伝送路８へ出力する。アラーム発生部５は非定常状態、例えば画像入力部１が監視カメラの場合、侵入者等をセンサーなどにより感知したときあるいはＴＶ電話の場合、送信者・受信者をセンサーなどにより感知したとき、アラーム信号を発生し、伝送路８へ出力する。
【００２６】
アラーム信号検出器６１がアラーム信号を伝送路８で検出しない場合、即ち定常状態のときは切替信号発生器６２は放送符号化画像信号を選択するための切替信号を伝送路８へ出力し、アラーム信号が伝送路８上で検出された場合、即ち非定常状態のときは切替信号発生器６２は加工した画像信号を符号化したことを示す識別信号が付加された符号化画像信号を選択するための切替信号を伝送路８上へ出力する。
【００２７】
符号化画像信号切替器７１は、伝送路８上の制御信号により、放送符号化画像信号を選択するように制御された場合には放送符号化画像信号を選択し、加工した画像信号を符号化したことを示す識別信号が付加された符号化画像信号を選択するように制御された場合には、加工した画像信号を符号化したことを示す識別信号が付加された符号化画像信号を選択し、復号化器７２に出力する。復号化器７２は可変長の復号化により符号化画像を復号化し、出力部９に出力する。
【００２８】
図６は本発明を用いた画像信号復号化装置の一実施例の概略構成図であり、図６において図１と同様の構成要素には同符号を付してあり、１０は切替要求発生器、６’はPC、６６は切替要求検出器である。
【００２９】
画像入力部１から入力される画像はＰＣのディスプレイ上にうつしだされる画像等のPCの外部モニター出力画像信号であり、この画像信号は画像信号符号化部２で、可変長の高能率符号化により符号化され、PC出力画像信号を符号化したことを示す識別信号が付加されたのち伝送路８へ出力される。放送符号化画像入力部３から入力される放送符号化画像信号は、符号化画像信号受信部４で受信され、符号化画像信号復号化部７に送られる。切替要求発生器１０はユーザーによるリモコンのボタン、マウスのクリック或いはスイッチ等の指示により、PC出力画像信号を符号化したことを示す識別信号が付加された符号化画像信号に切り替えるための要求信号を発生し、伝送路８へ出力する。
【００３０】
切替要求検出器６６が切替要求信号を伝送路８で検出しない場合、切替信号発生器６２は放送符号化画像信号を選択するための切替信号を伝送路８へ出力し、切替要求信号が伝送路８上で検出された場合、切替信号発生器６２はPC出力画像信号を符号化したことを示す識別信号が付加された符号化画像信号を選択するための切替信号を伝送路８上へ出力する。
【００３１】
符号化画像信号切替器７１は、伝送路８上の制御信号により、放送符号化画像信号を選択するように制御された場合には放送符号化画像信号を選択し、PC出力画像信号を符号化したことを示す識別信号が付加された符号化画像信号を選択するように制御された場合には、PC出力画像信号を符号化したことを示す識別信号が付加された符号化画像信号を選択し、復号化器７２に出力する。復号化器７２は可変長の復号化により符号化画像を復号化し、出力部９に出力する。
【００３２】
図７は本発明を用いた画像信号復号化装置の一実施例の概略構成図であり、図７において図１、図３、図６と同様の構成要素には同符号を付してある。
【００３３】
画像入力部１から入力される画像はＰＣのディスプレイ上にうつしだされる画像等のPCの外部モニター出力画像信号であり、この画像信号は画像信号符号化部２で、可変長の高能率符号化により符号化され、PC出力画像信号を符号化したことを示す識別信号が付加されたのち伝送路８へ出力される。放送符号化画像入力部３から入力される放送符号化画像信号は、符号化画像信号受信部４で受信され、符号化画像信号復号化部７に送られる。切替要求発生器１０はユーザーによるリモコンのボタン、マウスのクリック或いはスイッチ等の指示により、PC出力画像信号を符号化したことを示す識別信号が付加された符号化画像信号に切り替えるための要求信号を発生し、伝送路８へ出力する。
【００３４】
切替要求検出器６６が切替要求信号を伝送路８で検出しない場合、切替信号発生器６２は放送符号化画像信号を復号した画像信号のみを出力するような切替信号を伝送路８へ出力し、切替要求信号が伝送路８上で検出された場合、切替信号発生器６２はPC出力画像信号を符号化したことを示す識別信号が付加された符号化画像信号を復号した画像信号のみ或いは、放送符号化画像信号を復号した画像信号とPC出力画像信号を符号化したことを示す識別信号が付加された符号化画像信号を復号した画像信号を合成して出力するような切替信号を伝送路８上へ出力する。
【００３５】
復号化器７２は、可変長の復号化により、PC出力画像信号を符号化したことを示す識別信号が付加された符号化画像を復号化し、画面合成器７４に出力する。復号化器７３は、可変長の復号化により放送符号化画像信号を復号化し、画面合成器７４に出力する。画面合成器７４は伝送路８上の制御信号により、放送符号化画像信号を復号した画像信号のみを出力するように制御された場合は可変長の復号化により放送符号化画像信号を復号した画像信号のみを出力し、PC出力画像信号を符号化したことを示す識別信号が付加された符号化画像を復号した画像信号のみを出力するように制御された場合には、可変長の復号化によりPC出力画像信号を符号化したことを示す識別信号が付加された符号化画像を復号した画像信号のみを出力し、放送符号化画像信号を復号した画像信号と、PC出力画像信号を符号化したことを示す識別信号が付加された符号化画像を復号した画像信号を合成して出力するように制御された場合には、可変長の復号化により放送符号化画像信号を復号した画像信号と、PC出力画像信号を符号化したこと、を示す識別信号が付加された符号化画像を復号した画像信号を合成して出力部９に出力する。
【００３６】
上記図６及び、図７における実施例のように外部入力画像信号をPCの出力画像とすることにより、放送画像表示用の出力装置とPC出力画像表示装置を兼用することが可能となる。
【００３７】
【発明の効果】
以上のように、本発明によれば、可変長で高能率符号化により符号化された符号化画像を復号表示するために、新たに復号及び表示装置を必要とせず、放送符号化画像信号を復号及び表示する装置で実現することが出来る。
【図面の簡単な説明】
【図１】本発明の画像信号復号化装置の一実施例の概略構成図。
【図２】画像信号符号化装置の一実施例のフローチャート。
【図３】画像信号復号化装置の一実施例の概略構成図。
【図４】画像信号符号化装置の一実施例のフローチャート。
【図５】画像信号復号化装置の一実施例の概略構成図。
【図６】画像信号復号化装置の一実施例の概略構成図。
【図７】画像信号復号化装置の一実施例の概略構成図
【符号の説明】
１…画像入力部、２…画像信号符号化部、３…放送符号化画像入力部、４…放送符号化画像信号受信部、５…アラーム発生部、６…制御部、６’…ＰＣ、６１…アラーム信号検出器、６２…切替信号発生器、６３…復号化器、６４…画面加工器、６５…符号化器、６６…切替要求検出器、７…符号化画像信号復号化部、７１…符号化画像信号切替器、７２…復号化器、７３…復号化器、７４…画面合成器、８…伝送路、９…出力部、１０…切替要求発生器。
【図１】
0003873497.tif 000002
【図２】
0003873497.tif 000003
【図３】
0003873497.tif 000004
【図４】
0003873497.tif 000005
【図５】
0003873497.tif 000006
【図６】
0003873497.tif 000007
【図７】
0003873497.tif 000008